(57)【要約】      （修正有）【課題】羽根が作動の最終段階で暴れたとき、カバー板に形成されている逃げ部の縁とストッパとの間に形成されている上記の隙間に入り込み、ストッパの先端面に乗り上げる。【解決手段】地板とカバー板２との間にシャッタ羽根４が配置され、地板にはストッパ１ｈが立設されている。カバー板２は薄板部材であり、逃げ孔２ｉを形成している。ストッパ１ｈは、シャッタ羽根４が当接する当たり面１ｈ−１を有していて、先端を逃げ孔２ｉに挿入し、カバー板２から僅かに突き出している。ストッパ１ｈには、シャッタ羽根４の略作動方向に沿って溝を形成したことにより、先端面１ｈ−２よりも低い段差面１ｈ−３が形成されている。他方、カバー板２は、逃げ孔２ｉの縁から張り出した張出部２ｎを有していて、段差面１ｈ−３を覆うようにしてストッパ１ｈの溝に嵌まっている。【選択図】図４
2010230812.tif 000002
【特許請求の範囲】
【請求項１】
少なくとも一つのストッパを垂直に立設している地板と、薄板状に形成されていて前記地板との間に少なくとも一つの羽根室を構成しており前記ストッパの先端を逃げ部から前記地板とは反対の面側に突き出させているカバー板と、前記羽根室内に往復作動可能に配置されていて作動の最終段階で前記ストッパに当接して停止させられる少なくとも１枚の羽根と、を備えているカメラ用羽根駆動装置において、前記ストッパは、前記地板に対して垂直であって前記羽根が当接する当たり面を形成していると共に、先端には、前記羽根の略作動方向に沿った少なくとも一つの線を境にして、少なくとも一つの先端面と、該先端面よりも低い少なくとも一つの段差面とを形成しており、前記カバー板は、前記逃げ部の縁から少なくとも前記羽根が前記ストッパへ向けて作動する方向へ張り出していて、前記段差面の少なくとも一部を覆うようにした張出部を形成していることを特徴とするカメラ用羽根駆動装置。
【請求項２】
前記段差面は、前記先端面に形成された一つの溝の底面として形成されており、前記張出部は、該溝に嵌め込まれているようにしたことを特徴とする請求項１に記載のカメラ用羽根駆動装置。
【請求項３】
前記張出部が、常態では、前記段差面に接触しているようにしたことを特徴とする請求項１又は２に記載のカメラ用羽根駆動装置。
【発明の詳細な説明】
【技術分野】
【０００１】
本発明は、シャッタ羽根，絞り羽根，フィルタ羽根などの羽根部材を、羽根室内において往復作動させるようにしたカメラ用羽根駆動装置に関する。
【背景技術】
【０００２】
カメラ用の羽根駆動装置としては、シャッタ装置，絞り装置，フィルタ装置，レンズバリア装置があり、それらのうち、シャッタ装置，絞り装置，フィルタ装置については、単独でユニット化する場合もあるが、二つ以上を一つのユニットとして構成する場合もある。そして、それらの四つの装置を単独でユニット化する場合には、通常、合成樹脂製の比較的厚い部材である地板と、その地板に取り付けられたカバー板（補助地板，押さえ板などということもある）との間に、羽根室を構成している。また、二つの装置をユニット化する場合は、地板とカバー板との間を中間板（仕切り板などということもある）で仕切ることによって二つの羽根室を構成し、各々の装置の羽根を別の羽根室に配置することが多いが、中には、一つの羽根室に二つの装置の羽根を配置することも知られている。
【０００３】
このようなカメラ用羽根駆動装置は、カメラ内でのスペース効率をよくするために、小型化は勿論であるが、それと同時に薄型化に対する要求も極めて大きい。そして、薄型化を図るためには、上記のような、地板，カバー板，羽根を薄くすることが必要になるが、通常、地板は、合成樹脂製であって、他の全ての構成部材を取り付ける必要があるため、薄くするには限度がある。また、羽根は、高速に作動させる必要があることから、かなり以前の段階で薄型化され尽している。そこで、最近では、カバー板の薄型化が注目されていて、小型のカメラ用羽根駆動装置の場合には、殆どのものが可撓性を有するほどに薄くしたカバー板を採用するようになってきた。
【０００４】
ところで、地板には、羽根の作動を所定の位置で停止させるために、ストッパを垂直に立設することが知られている。そして、かつてのように、カバー板が厚く形成されていたときには、このストッパの先端は、カバー板に設けられた孔に挿入され、先端面がカバー板の板厚内に存在するようにしていた。その理由は、ストッパの先端面をカバー板の板面に接触させるように設計すると、組立状態で両者間に隙間ができてしまうことがあり、薄い羽根が、ストッパに当接せずに、その隙間に入り込んでしまったり、当接したときの暴れ作動によって、その隙間に入り込んでしまったりすることがあるからである。
【０００５】
ところが、最近のように、カバー板を、可撓性を有してしまうほど薄く形成するようになると、ストッパの先端面が、常に板厚内に存在しているようにすることが不可能になってきた。そのため、カバー板を薄くした場合には、ストッパの先端が、カバー板の地板側とは反対の面から突き出るようにしているが、このとき、ストッパの先端を突き出させるためにカバー板に形成されている孔などの逃げ部は、製作上の観点から、ストッパの先端の断面形状よりも一回り大きく形成されていて、両者の間には隙間が存在するようになっている。そして、そのように構成した場合のカメラ用羽根駆動装置の一例が、下記の特許文献１に記載されている。
【先行技術文献】
【特許文献】
【０００６】
【特許文献１】特開２００７−９３９１２号公報
【発明の概要】
【発明が解決しようとする課題】
【０００７】
上記したように、最近では、デジタルカメラの普及に伴い、専用機として製作されるスチルカメラやビデオカメラなどはもちろんのこと、全てのカメラの小型化が急速に進んでおり、それに伴って、それらに内蔵されているカメラ用羽根駆動装置も一段と小型化されるようになってきた。その場合の顕著な一例を挙げれば、従来、地板は、外形が円形や方形をしているのが普通であったが、最近では、特許文献１にも記載されているように、必須としない平面領域を極力切除した複雑な形状にすることにより、削減されたスペースに少しでも他の構成部材を配置させるようにしている。
【０００８】
このような実情から、特許文献１に記載されているような、カバー板を薄くしているカメラ用羽根駆動装置の場合であっても、カバー板から突き出ているストッパの突出し量を出来るだけ小さくしたいという要求がある。しかしながら、突き出し量を余り小さくすると問題が生じる。その理由は、ストッパの突出し量を極端に小さくすると、羽根が作動の最終段階で暴れたとき、薄い羽根の作動方向の縁に隣接する一部の領域が大きく変形し、カバー板に形成されている逃げ部の縁とストッパとの間に形成されている上記の隙間に入り込み、ストッパの先端面に乗り上げてしまい、そのまま身動きできない状態になってしまうことがあるからである。
【０００９】
本発明は、このような問題点を解決するためになされたものであり、その目的とするところは、地板との間に少なくとも一つの羽根室を構成しているカバー板を薄く形成しており、地板に立設しているストッパの先端が、カバー板の地板側とは反対の面から突き出ているカメラ用羽根駆動装置において、カバー板から突き出ているストッパの突出し量を小さくしても、羽根の作動が好適に得られるようにしたカメラ用羽根駆動装置を提供することである。
【課題を解決するための手段】
【００１０】
上記の目的を達成するために、本発明は、少なくとも一つのストッパを垂直に立設している地板と、薄板状に形成されていて前記地板との間に少なくとも一つの羽根室を構成しており前記ストッパの先端を逃げ部から前記地板とは反対の面側に突き出させているカバー板と、前記羽根室内に往復作動可能に配置されていて作動の最終段階で前記ストッパに当接して停止させられる少なくとも１枚の羽根と、を備えているカメラ用羽根駆動装置において、前記ストッパは、前記地板に対して垂直であって前記羽根が当接する当たり面を形成していると共に、先端には、前記羽根の略作動方向に沿った少なくとも一つの線を境にして、少なくとも一つの先端面と、該先端面よりも低い少なくとも一つの段差面とを形成しており、前記カバー板は、前記逃げ部の縁から少なくとも前記羽根が前記ストッパへ向けて作動する方向へ張り出していて、前記段差面の少なくとも一部を覆うようにした張出部を形成しているようにする。
【００１１】
その場合、前記段差面は、前記先端面に形成された一つの溝の底面として形成されており、前記張出部は、該溝に嵌め込まれているようにすると、好適な構成になる。また、前記張出部が、常態では、前記段差面に接触しているようにすると、製作時の取り扱い上において、カバー板が地板側に撓まされにくくすることが可能になる。
【発明の効果】
【００１２】
本発明は、地板との間に少なくとも一つの羽根室を構成しているカバー板を薄く形成しておき、地板には、羽根室内に配置されている羽根の作動を停止させるためのストッパを立設していて、そのストッパの先端を、カバー板の地板側とは反対の面から突き出させているようにしたカメラ用羽根駆動装置において、カバー板から突き出ているストッパの突出し量を小さくしても、羽根の作動が好適に得られるという効果がある。
【図面の簡単な説明】
【００１３】
【図１】シャッタ装置として構成した実施例の平面図であり、シャッタ羽根を全開状態にした撮影待機状態を示したものである。
【図２】図１の要部を展開状態にして示した部分断面図である。
【図３】実施例の平面図であり、シャッタ羽根の閉鎖状態を示したものである。
【図４】従来例と実施例との相違を説明するための部分平面図であって、図４（ａ）は従来例を示したものであり、図４（ｂ）は実施例を示したものである。
【発明を実施するための形態】
【００１４】
本発明の実施の形態を、図示した実施例によって説明する。本発明のカメラ用羽根駆動装置は、シャッタ装置，絞り装置，フィルタ装置，レンズバリア装置のいずれにも適用することができるものである。また、シャッタ装置，絞り装置，フィルタ装置のうちの二つ以上を一つのユニットとして構成した装置にも適用することができるものである。更に、それらの装置は、専用機として製作されるスチルカメラやビデオカメラのほか、各種情報端末機器用カメラ，顕微鏡用撮像装置，医療機器用撮像装置などにも採用することができるものである。しかしながら、実施例は、スチルカメラに内蔵される単独のシャッタ装置として構成したものである。
【実施例】
【００１５】
本実施例のシャッタ装置は、電磁アクチュエータによって、２枚のシャッタ羽根を、相反する方向へ同時に回転させ、光路を開閉するように構成したものである。この種のシャッタ装置は、フィルムを使用するカメラにも採用することが可能であるが、本実施例は、デジタルカメラに採用されることを前提にして説明する。
【００１６】
先ず、主に、図１及び図２を用いて本実施例の構成を説明するが、最初に、主な構成部材の配置関係を説明しておく。地板１は、合成樹脂製であって、厚い板状をしており、その両面は複雑な形状をしている。また、カバー板２は、合成樹脂製でも金属製でも構わないが、図２から分かるように、地板１よりは極端に薄い板状部材であり、その外形形状は、図１から分かるように、地板１よりも僅かに小さい。そして、このカバー板２は、後述する手段によって地板１に取り付けられており、地板１との間に羽根室を構成しているが、その羽根室内には、２枚のシャッタ羽根３，４が配置されている。また、羽根室とは反対側になる地板１の面に、電磁アクチュエータが取り付けられているが、図１においては、その回転子５だけが示されている。
【００１７】
次に、それらの構成部材の具体的な形状と、取付け構成を説明する。地板１は、カメラ内での設置スペースや取付け箇所などを考慮した複雑な外形形状をしており、比較的大きな円形をした光路用の開口部１ａと、円形をした二つの取付孔１ｂ,１ｃと、円弧状をした長孔１ｄとを有している。また、地板１の羽根室側の面には、円柱状をした二つの羽根取付軸１ｅ，１ｆと、四つのストッパ１ｇ，１ｈ，１ｉ，１ｊと、円柱状をした一つの位置決めピン１ｋとが立設されている。それらのうち、四つのストッパ１ｇ，１ｈ，１ｉ，１ｊは全て同じ形状をしているが、その具体的な形状については、ストッパ１ｈの場合で後述する。
【００１８】
また、地板１の羽根室側の面には、外周部に、七つの受け部１ｍ，１ｎ，１ｐ，１ｑ，１ｒ，１ｓ，１ｔと、一つのフック部１ｕとが形成されているが、それらのうち、受け部１ｑは、ストッパ１ｉの近傍領域から、羽根取付軸１ｅの近傍領域まで長く形成されている。また、受け部１ｔは、カメラ側の構成部材に対する受け部であるが、その他の受け部１ｍ，１ｎ，１ｐ，１ｑ，１ｒ，１ｓは、カバー板２の受け部であり、受け部１ｐ，１ｒには、ねじ穴が形成されている。更に、地板１の羽根室側とは反対の面に、円柱状をした回転子取付軸１ｖが立設されている。
【００１９】
カバー板２は、上記の開口部１ａと対向するところに、同じ形状をした光路用の開口部２ａを有し、また、上記の取付孔１ｂ,１ｃと対向するところには、同じ形状をした取付孔２ｂ,２ｃを有しており、さらに、上記の長孔１ｄと対向するところには、同じ形状をした長孔２ｄを有している。また、このカバー板２は、上記の羽根取付軸１ｅ，１ｆの先端を嵌合させた円形の孔２ｅ，２ｆと、上記の位置決めピン１ｋの先端を嵌合させた長孔２ｇを有している。
【００２０】
また、カバー板２には、上記のストッパ１ｇ，１ｉの両方の先端を挿入した逃げ孔２ｈと、上記のストッパ１ｈ，１ｊの先端を個々に挿入した二つの逃げ孔２ｉ，２ｊとが形成されているが、部品加工や組立上で有利な構成とするために、それらの逃げ孔２ｈ，２ｉ，２ｊは、いずれも、ストッパ１ｇ，１ｉ，１ｈ，１ｊとの間に隙間を形成する大きさをしている。そして、逃げ孔２ｈの縁には二つの張出部２ｋ，２ｍが形成され、逃げ孔２ｉ，２ｊの縁には、一つずつの張出部２ｎ，２ｐが形成されているが、それらの張出部２ｋ，２ｍ，２ｎ，２ｐは、いずれも、各々のシャッタ羽根３，４が、上記のストッパ１ｇ，１ｉ，１ｈ，１ｊへ向けて作動する方向へ張り出すように形成されている。尚、これらの張出部２ｋ，２ｍ，２ｎ，２ｐと上記のストッパ１ｇ，１ｉ，１ｈ，１ｊとの各相互間の構成は、いずれも同じである。そのため、それらの構成は、張出部２ｎとストッパ１ｈとの場合で、具体的に後述する。
【００２１】
カバー板２には、さらに、三つの段差部２ｑ，２ｒ，２ｓが形成されている。そして、このカバー板２は、段差部２ｑに地板１のフック部１ｕを引っ掛けておき、ねじ６，７を、段差部２ｒ，２ｓに形成された孔に通し、上記の受け部１ｐ，１ｒに形成されたねじ穴にねじ込むことによって、地板１に取り付けられている。また、この装置は、いずれも重なるように形成されている取付孔１ｂ，２ｂと、取付孔１ｃ，２ｃとの２箇所において、カメラ本体に取り付けられるようになっている。
【００２２】
ここで、略同じ形状をしている上記の複数のストッパを代表し、ストッパ１ｈの具体的な形状を説明すると共に、そのストッパ１ｈの先端と張出部２ｎとの構成関係を、主に、図２及び図４（ｂ）を用いて説明する。先ず、ストッパ１ｈは、地板１に対して垂直な当たり面１ｈ−１を、地板１の面から先端面１ｈ−２まで形成している。そして、このストッパ１ｈの先端には、シャッタ羽根４の略作動方向（図４（ｂ）における上下方向）に沿って溝が形成されており、その底面を段差面１ｈ−３としている。他方、カバー板２は、逃げ孔２ｉの縁に、シャッタ羽根４の略作動方向に沿いストッパ１ｈに向けて張出部２ｎを形成しており、その張出部２ｎをストッパ１ｈの溝に嵌め込み、常態では、段差面１ｈ−３に接触させている。
【００２３】
そのため、装置の製作や運搬などの段階において、図２の上方から、張出部２ｎの近傍領域に、カバー板２を押し下げる不測の力が加わったとしても、カバー板２が大きく撓まされて変形させられたり破壊されたりするおそれがないようになっている。このように、ストッパ１ｈは、本来のストッパ以外の役目もしているが、その必要性がない場合には、段差面１ｈ−３を本実施例よりも低いところに形成し、張出部２ｎが接触しないようにしても構わない。また、本実施例では、ストッパ１ｈの断面形状がＤ字状をしているが、本発明のストッパは、このような断面形状に限定されず、本実施例のような当たり面１ｈ−１が形成されてさえいれば、どのような断面形状であっても構わない。
【００２４】
更に、本実施例では、ストッパ１ｈの先端が、逃げ孔２ｉに挿入されているが、本発明の逃げ部は、逃げ孔２ｉのような孔形状である必要はない。例えば、本実施例のストッパ１ｈが、地板１の外周部に立設されるように構成された場合には、本実施例においてカバー板２が受け部１ｔを逃げているところの形状のように、切り込み部として形成しても構わない。また、本実施例では、ストッパ１ｇの逃げ孔とストッパ１ｉの逃げ孔とが、連設された大きな一つの逃げ孔２ｈとして形成されているが、それと同じようにして、例えば、逃げ孔２ｉを、他の目的で形成されている孔や切り込み部と連設するようにしても構わない。
【００２５】
次に、羽根室内において、一部が重なり合っているようにして配置されている２枚のシャッタ羽根３，４の構成を説明する。先ず、地板１側に配置されているシャッタ羽根３は、長孔３ａを有していて、上記の羽根取付軸１ｅに対して回転可能に取り付けられている。また、カバー板２側に配置されているシャッタ羽根４は、長孔４ａを有していて、上記の羽根取付軸１ｆに対して回転可能に取り付けられている。そして、それらの長孔３ａ，４ａの両方に、後述する回転子５の出力ピン５ｃが嵌合している。
【００２６】
地板１の羽根室側とは反対の面に、シャッタ羽根３，４を往復回転させるための電磁アクチュエータが取り付けられている。本実施例の場合、その電磁アクチュエータは、上記の特許文献１に記載されている周知の電磁アクチュエータと実質的に同じであって、永久磁石を有する回転子が、固定子コイルに供給される電流方向に対応した方向へ、所定の角度範囲内においてだけ回転させられるようにした電流制御式の電磁アクチュエータである。そのため、その全体の構成については、詳細に説明するまでもないので、図１に示されている回転子５についてだけ説明をしておく。
【００２７】
この電磁アクチュエータの回転子５は、地板１の回転子取付軸１ｖに回転可能に取り付けられていて径方向に２極に着磁されている円筒形の永久磁石５ａと、その径方向へ延伸しているように一体成形された合成樹脂製の腕部５ｂと、その先端に形成された出力ピン５ｃとからなっており、その出力ピン５ｃは、地板１の長孔１ｄを貫通してシャッタ羽根３，４の長孔３ａ，４ａに嵌合し、先端をカバー板２の長孔２ｄに挿入している。尚、本実施例の回転子５は、このような構成をしているが、腕部５ｂと出力ピン５ｃを含めて永久磁石製としたものも知られている。
【００２８】
次に、本実施例の作動を説明する。図１は、撮影待機状態を示したものであって、このとき、シャッタ羽根３，４は、開口部１ａ，２ａを全開にしている。そのため、図示していない固体撮像素子には被写体光が当たっており、撮影者は、モニター（液晶ファインダなど）によって被写体像を観察することが可能になっている。また、このとき、電磁アクチュエータの固定子コイルには通電されていないが、周知のように、永久磁石５ａの磁極と固定子ヨークの磁極部との対向位置関係により、回転子５には時計方向へ回転する力が与えられている。ところが、回転子５は、シャッタ羽根３がストッパ１ｇの当たり面（符号なし）に接触し、シャッタ羽根４がストッパ１ｈの当たり面１ｈ−１に接触しているため、その回転を阻止され、この状態が維持されている。
【００２９】
撮影に際してカメラのレリーズボタンが押されると、固体撮像素子に蓄積されていた電荷が放出されて撮影が開始され、新たな電荷が固体撮像素子に蓄積されていく。そして、所定の時間が経過すると、露光時間制御回路からの信号によって、電磁アクチュエータの固定子コイルに対して電流が供給される。それにより、回転子５は反時計方向へ回転させられ、出力ピン５ｃが、シャッタ羽根３を反時計方向へ回転させ、シャッタ羽根４を時計方向へ回転させる。従って、シャッタ羽根３，４は、開口部１ａ，２ａを閉じていく。
【００３０】
そして、開口部１ａ，２ａを閉じると、その直後に、先ず、シャッタ羽根３がストッパ１ｊの当たり面（符合なし）に当接する。その当接によってシャッタ羽根３が瞬間的に撓まされるので、続いてシャッタ羽根４もストッパ１ｉの当たり面（符合なし）に当接して撓まされる。その後、シャッタ羽根３，４が原形に復して静止した状態が図３に示されている。従って、この状態においては、シャッタ羽根３は、ストッパ１ｊの当たり面に接触しているが、シャッタ羽根４は、ストッパ１ｉの当たり面から離れている。
【００３１】
この状態で、固体撮像素子に蓄積された電荷が、撮像情報として画像記憶装置に転送されると、電磁アクチュエータの固定子コイルには、上記とは逆方向に電流が供給される。そのため、回転子５は、図３の状態から時計方向へ回転させられるので、出力ピン５ｃが、シャッタ羽根３を時計方向へ回転させ、シャッタ羽根４を反時計方向へ回転させて、開口部１ａ，２ａを開かせていく。そして、開口部１ａ，２ａを全開にした直後に、略同時に、シャッタ羽根３がストッパ１ｇの当たり面（符号なし）に当接し、シャッタ羽根４がストッパ１ｈの当たり面１ｈ−１に当接する。その当接によって、シャッタ羽根３，４は、瞬間的に撓まされ、その後、原形に復して静止する。その静止状態が、図１に示された撮影待機状態である。
【００３２】
尚、上記の作動は、本実施例のシャッタ装置をデジタルカメラに採用した場合で説明したが、フィルムを使用するカメラに採用した場合には、図３に示された状態が撮影待機状態であって、撮影に際しては、シャッタ羽根３，４は、図１に示された状態になってから図３に示された状態に復帰するようになる。
【００３３】
ところで、シャッタ羽根３，４は、上記のように作動させられるが、それらの作動を詳細に見てみると、実際には、同じシャッタ装置であっても、常に同じように作動するわけではなく、また、同じ規格で製作されたシャッタ装置同士であっても、同じように作動することは殆どない。それは、撮影時におけるカメラの姿勢によっても異なってしまうことがあるし、加工公差などに起因する個体差によっても異なってしまうからである。従って、上記のように、シャッタ羽根３，４が各々のストッパの当たり面に当接する場合にも、様々な当接の仕方をすることになる。
【００３４】
そのため、シャッタ羽根３，４は、ストッパに当接したとき、その衝撃で一時的に変形させられ、いわゆる暴れ作動をすることになるが、その暴れ作動は様々な態様で行われることになる。そして、本実施例のように、カバー板２が薄い場合には、その暴れ作動によってカバー板２を一時的に撓ませてしまい、シャッタ羽根３，４の一部が、ストッパの先端面に乗り上げるような格好で身動きできない状態になってしまう現象を生じさせることがある。しかも、そのような現象は、カバー板２からのストッパの突き出し量が小さければ小さいほど生じ易い。ところが、本実施例は、そのような現象を生じさせにくい構成になっている。そこで、そのことを、図４を用いて、シャッタ羽根４とストッパ１ｈとの関係で説明する。
【００３５】
図４（ａ）は、従来の構成を示したものであり、図４（ｂ）は、本実施例の構成を示したものである。そこで先ず、従来の構成について説明する。従来のストッパ１ｈは、本実施例と同様に、当たり面１ｈ−１を形成し、断面形状がＤ字状であって、カバー板２からの先端の突き出し量も同じである。しかしながら、このストッパ１ｈの先端には、本実施例のように、先端面１ｈ−２よりも低い段差面１ｈ−３が形成されていない。そして、カバー板２の方にも、本実施例のような張出部２ｎが形成されていない。
【００３６】
このような構成においては、シャッタ羽根４が、図４（ａ）の上方から作動してきて、ストッパ１ｈの当たり面１ｈ−１に当接すると、薄いシャッタ羽根４は、静止するまでの間に種々の形状に連続的に変形させられるが、その過程において、シャッタ羽根４の作動方向（開口部１ａ，２ａの開き作動方向）の先端縁の近傍領域の一部が、カバー板２の逃げ孔２ｉの縁の端面と、それに対向しているストッパ１ｈの当たり面１ｈ−１との間の隙間に入り込んできてしまうことがある。
【００３７】
即ち、図４（ａ）において、逃げ孔２ｉに対して、ストッパ１ｈの当たり面１ｈ−１のところで左右に引いた空間直線Ｌの寸法は、逃げ孔２ｉの最大径に近い寸法である。そのため、逃げ孔２ｉに臨んでいるシャッタ羽根４の先端縁の近傍領域も比較的大きくて、図４（ａ）の手前側に変形し易くなっており、且つそのように変形したときには、逃げ孔２ｉ内に入り込み易くなっている。その場合、カバー板２が厚くてよい場合には、ストッパ１ｈの、カバー板２の羽根室側の面に相当する位置から先端までの距離が大きいために、変形によってシャッタ羽根４の先端縁が、ストッパ１ｈの先端へは達しなくても、カバー板２が薄い場合には、先端縁が瞬間的に当たり面１ｈ−１を先端までせり上がり、シャッタ羽根４の先端縁に隣接する領域の一部が、カバー板２によって、ストッパ１ｈの先端に筋交い状に押し付けられた状態になり、身動きできなくさせられてしまうことがある。
【００３８】
ところが、本実施例の場合には、図４（ｂ）に示されているように、カバー板２に形成されている張出部２ｎが、上記の空間直線距離Ｌの略中間を通るようになっていて、段差面１ｈ−３を覆うようにして溝に嵌まっている。そのため、上記のようにして、シャッタ羽根４の作動方向の先端縁が当たり面１ｈ−１をせり上がってきたときに、張出部２ｎがそのせり上がりを抑止する働きをし、先端縁がストッパ１ｈの先端へ乗り上げないようになっている。
【００３９】
尚、本実施例においては、シャッタ羽根３は、開き作動時にストッパ１ｇに当接する部位の形状が、張出部２ｋが形成されていない場合には、カバー板２を殆ど変形させなくても、逃げ孔２ｈとストッパ１ｇとの間に入り込み易い形状をしている。また、同様に、シャッタ羽根４も、閉じ作動時にストッパ１ｉに当接する部位の形状が、張出部２ｍが形成されていない場合には、逃げ孔２ｈとストッパ１ｉとの間に入り込み易い形状をしている。しかしながら、本実施例の場合は、ストッパ１ｇ，１ｉに形成されている段差面（符号なし）を覆うようにして張出部２ｋ，２ｍが形成されているので、上記した場合と同様に、それらの部位が、ストッパ１ｇ，１ｉの先端に乗り上げてしまうことがない。
【００４０】
このように、本実施例の場合には、四つの張出部２ｋ，２ｍ，２ｎ，２ｐは、すべて同じ形状をしている。しかしながら、本発明の張出部の形状は、それらの形状に限定されるものではない。要するに、本発明におけるカバー板の張出部は、逃げ部における上記の空間直線距離Ｌ（逃げ孔２ｈのような逃げ部の場合には、一つずつの逃げ部に相当する空間直線距離）が、従来よりもトータルとして短くなるような形状にしていればよいことになる。
【００４１】
そのため、図４（ｂ）に示されている張出部２ｎは、平行に形成した二つの張出部としてもよく、また、そのようにした場合には、溝は、実施例のように一つのままであってもよいし、別々に独立した二つ溝にしても構わない。また、張出部を二つ形成する場合は、図４（ｂ）において、段差面１ｈ−３を形成しているところを先端面にし、その両側の先端面領域を段差面にするようにしてもよい。更に、図４（ｂ）において、段差面１ｈ−３の右側又は左側の先端面領域も段差面とすることによって、実質的に段差面１ｈ−３の面積を大きくし、一つの大きな張出部が、その大きくした段差面の殆どを覆うようにしても構わない。そのため、その場合には、張出部がカバー板に、図４（ｂ）において、上方でだけ繋がっているのではなく、左右いずれか一方と下方でも繋がっているようにしてもよい。
【００４２】
従って、これらの本発明の態様を全てまとめて表現すると、ストッパは、地板に対して垂直であって羽根の先端縁が当接する当たり面を形成していると共に、先端には、羽根の略作動方向に沿った少なくとも一つの線を境にし、少なくとも一つの先端面と、該先端面よりも低い少なくとも一つの段差面とを形成しており、他方、カバー板は、逃げ部の縁から少なくとも羽根がストッパへ向けて作動する方向へ張り出していて、上記の段差面の少なくとも一部を覆うようにした張出部を形成している構成ということになる。
【００４３】
尚、本実施例は、２枚のシャッタ羽根３，４を備えているシャッタ装置として構成したものであるが、いずれか一方のシャッタ羽根を大きくし、他方のシャッタ羽根を備えていないようにすれば、１枚のシャッタ羽根を備えたシャッタ装置になることが知られている。そして、いずれのシャッタ装置の場合も、殆どそのまま、レンズバリア装置として採用することが可能であることも知られている。また、１枚のシャッタ羽根を備えたシャッタ装置において、シャッタ羽根を円形の開口部を形成した絞り羽根に代えれば絞り装置になるし、その開口部をフィルタシートで覆ってフィルタ羽根に代えればフィルタ装置になることも知られている。
【００４４】
また、本実施例においては、羽根室内に２枚のシャッタ羽根３，４を配置しているが、同じ羽根室内に、１枚又は２枚のシャッタ羽根のほか、上記のような絞り羽根やフィルタ羽根を配置することによって、二つ以上の装置を一つのユニットとして構成することが知られているし、本実施例の地板１とカバー板２の間を周知の中間板で仕切って二つの羽根室を構成し、二つ以上の装置の羽根を、それらの羽根室に分けて配置するようにすることも知られている。従って、それらの装置は、全て本発明のカメラ用羽根駆動装置である。
【符号の説明】
【００４５】
１                            地板
１ａ，２ａ                    開口部
１ｂ，１ｃ，２ｂ，２ｃ        取付孔
１ｄ，２ｄ，２ｇ，３ａ，４ａ  長孔
１ｅ，１ｆ                    羽根取付軸
１ｇ，１ｈ，１ｉ，１ｊ        ストッパ
１ｈ−１                      当たり面
１ｈ−２                      先端面
１ｈ−３                      段差面
１ｋ                          位置決めピン
１ｍ，１ｎ，１ｐ，１ｑ，１ｒ，１ｓ，１ｔ  受け部
１ｕ                          フック部
１ｖ                          回転子取付軸
２                            カバー板
２ｅ，２ｆ                    孔
２ｈ，２ｉ，２ｊ              逃げ孔
２ｋ，２ｍ，２ｎ，２ｐ        張出部
２ｑ，２ｒ，２ｓ              段差部
３，４                        シャッタ羽根
５                            回転子
５ａ                          永久磁石
５ｂ                          腕部
５ｃ                          出力ピン
６，７                        ねじ
【図１】
2010230812.tif 000003
【図２】
2010230812.tif 000004
【図３】
2010230812.tif 000005
【図４】
2010230812.tif 000006